(57)【要約】【課題】手軽に扱え、かつ、能動的に画像データを送受信可能な双方向通信を実現するテレビジョン装置を提供する。【解決手段】制御部１２１は、受光部１２３で受信されるリモートコントローラ１２からの操作指示に応じて、映像表示器１１７への表示対象を１１４ａ〜ｄから入力される画像データに切り換えると共に、この表示対象の画像データを通信Ｉ／Ｆ１３１経由でネットワークを介して接続される相手に送信する。また、制御部１２１は、このリモートコントローラ１２から例えばその地域で空きチャンネルとなっている専用のチャンネルを選択する指示が送られると、ネットワークを介して接続される相手から送信されてくる画像を通信Ｉ／Ｆ１３１経由で受信し、この画像データを信号処理部１０５に転送して映像処理部１１６に表示させる。【選択図】      図２
2006101338.tif 000002
【特許請求の範囲】
【請求項１】
テレビジョン放送の番組データを受信するチューナと、
ネットワークを介して通信する通信手段と、
前記ネットワークを介して転送される画像データを前記通信手段により受信する画像受信手段と、
操作手段と、
前記操作手段により所定の操作が行われた場合、前記チューナにより受信される番組データから前記画像受信手段により受信される画像データへと表示対象を切り換える制御手段と
を具備することを特徴とするテレビジョン装置。
【請求項２】
前記所定の操作は、複数のチャンネルの中から所望のチャンネルの番組データを前記チューナに受信させるための操作であって、前記画像受信手段により受信される画像データの表示用に予め割り当てられた専用のチャンネルを選択する操作であることを特徴とする請求項１記載のテレビジョン装置。
【請求項３】
画像データを入力するための入力端子と、
前記入力端子から入力される画像データを前記通信手段により前記ネットワークを介して送信する画像送信手段と
をさらに具備することを特徴とする請求項１または２記載のテレビジョン装置。
【請求項４】
記憶装置と、
前記記憶装置に格納された画像データを前記通信手段により前記ネットワークを介して送信する画像送信手段と
をさらに具備することを特徴とする請求項１または２記載のテレビジョン装置。
【請求項５】
ネットワークを介して通信する通信手段と、
前記ネットワークを介して転送される静止画像データ群を前記通信手段により受信する画像受信手段と、
前記ネットワークを介して転送される、前記画像受信手段により受信された静止画像データ群の表示制御用の制御信号を前記通信手段により受信する制御信号受信手段と、
前記制御信号受信手段により受信された制御信号に基づき、前記画像受信手段により受信された静止画像データ群を表示制御する表示制御手段と
を具備することを特徴とするテレビジョン装置。
【請求項６】
記憶媒体を取り外し自在に収納する収納部と、
前記収納部に収納される前記記憶媒体に格納された静止画像データ群を前記通信手段により前記ネットワークを介して送信する画像送信手段と、
前記収納部に格納された静止画像データ群の表示制御に関する操作を行うための操作手段と、
前記操作手段により何らかの操作が行われた場合、その内容を示す制御信号を前記通信手段により前記ネットワークを介して送信する制御信号送信手段と
をさらに具備することを特徴とする請求項５記載のテレビジョン装置。
【請求項７】
記憶装置と、
前記記憶装置に格納された静止画像データ群を前記通信手段により前記ネットワークを介して送信する画像送信手段と、
前記スロットに格納された静止画像データ群の表示制御に関する操作を行うための操作手段と、
前記操作手段により何らかの操作が行われた場合、その内容を示す制御信号を前記通信手段により前記ネットワークを介して送信する制御信号送信手段と
をさらに具備することを特徴とする請求項５記載のテレビジョン装置。
【請求項８】
ネットワークを介して通信する通信手段と、
前記ネットワークを介して転送される画像データを前記通信手段により受信する画像受信手段と、
前記画像受信手段による画像データの受信が行われている場合、その受信された画像データを表示制御し、前記画像受信手段による画像データの受信が行われていない場合、カーテンが閉じた状態を表した画像の画像データを表示制御する制御手段と
を具備することを特徴とするテレビジョン装置。
【請求項９】
前記画像データに対して画像処理を施す画像処理手段をさらに具備し、
前記制御手段は、前記画像受信手段により受信された画像データを表示制御する際、その画像データの周辺部に窓枠を表した画像を重畳させるように前記画像処理手段に画像処理を実行させることを特徴とする請求項８記載のテレビジョン装置。
【請求項１０】
画像データを入力するための入力端子と、
前記入力端子から入力される画像データを前記通信手段により前記ネットワークを介して送信する画像送信手段と
をさらに具備することを特徴とする請求項８または９記載のテレビジョン装置。
【請求項１１】
画像を撮像するカメラと、
前記カメラにより撮像された画像の画像データを前記通信手段により前記ネットワークを介して送信する画像送信手段と
をさらに具備することを特徴とする請求項８または９記載のテレビジョン装置。
【発明の詳細な説明】
【技術分野】
【０００１】
この発明は、例えばインターネットなどのネットワークを介して画像データを送受信する通信機能を有するテレビジョン装置に関する。
【背景技術】
【０００２】
近年、ＢＳ（Broadcasting Satellite）デジタル放送や１１０度ＣＳ（Communication Satellite）デジタル放送等の衛星デジタル放送に加え、地上デジタル放送が開始されるなど、テレビジョン放送のデジタル化が進んでいる。
【０００３】
この種のデジタル放送を受信可能なテレビジョン装置では、インターネットを介してデータを送信する機能を有するものも多く、いわゆる視聴者参加型の番組において、何らかの応答をインターネット経由で返送する双方向通信を実現している。
【０００４】
また、最近では、データ通信関連の社会基盤整備が進んでいることに加え、動画像の圧縮符号化技術や通信画像処理技術の向上に伴い、インターネットなどのネットワーク経由で画像や音声をパーソナルコンピュータ間で送受信し合うテレビ通信システムも提案され始めている（例えば特許文献１等参照）。
【特許文献１】特開２００４−１５４８２号公報
【発明の開示】
【発明が解決しようとする課題】
【０００５】
ところで、テレビジョン装置で実現する双方向通信は、あくまでテレビジョン放送の受信が主体であって、受信した番組データと連動させた応答を行うのみの付帯的な送信を行えるだけである。つまり、テレビジョン装置側から能動的に画像や音声等を送信することなどは行うことができなかった。
【０００６】
一方、前述の特許文献１に記載されたテレビ通信システムなどでは、画像や音声等を能動的に送信することが可能であるが、各種環境設定が必要となる等、パーソナルコンピュータを利用する分、例えば年配層には馴染みが薄く、テレビジョン装置と比べて、その手軽さにおいては依然大きく劣っているのが現状である。
【０００７】
この発明は、このような事情を考慮してなされたものであり、手軽に扱え、かつ、能動的に画像データを送受信可能な双方向通信を実現するテレビジョン装置を提供することを目的とする。
【課題を解決するための手段】
【０００８】
前述の目的を達成するために、この発明のテレビジョン装置は、テレビジョン放送の番組データを受信するチューナと、ネットワークを介して通信する通信手段と、前記ネットワークを介して転送される画像データを前記通信手段により受信する画像受信手段と、操作手段と、前記操作手段により所定の操作が行われた場合、前記チューナにより受信される番組データから前記画像受信手段により受信される画像データへと表示対象を切り換える制御手段とを具備することを特徴とする。
【０００９】
また、この発明のテレビジョン装置は、画像データを入力するための入力端子と、前記入力端子から入力される画像データを前記通信手段により前記ネットワークを介して送信する画像送信手段とをさらに具備することを特徴とする。
【発明の効果】
【００１０】
この発明によれば、手軽に扱え、かつ、能動的に画像データを送受信可能な双方向通信を実現するテレビジョン装置を提供することができる。
【発明を実施するための最良の形態】
【００１１】
以下、図面を参照して、この発明の実施の形態を説明する。
【００１２】
（第１実施形態）
まず、本発明の第１実施形態について説明する。
【００１３】
図１は、本発明の第１実施形態に係るテレビジョン装置の動作環境を示す図であり、ここでは、本発明のテレビジョン装置が、地上デジタル放送と衛星デジタル放送とを受信可能なデジタルテレビジョン放送受信装置１１として実現されている例を説明する。
【００１４】
このデジタルテレビジョン放送受信装置１１は、リモートコントローラ１２により遠隔操作が行えるようになっており、ビデオカメラ１３や磁気ディスク駆動装置（ＨＤＤ）１４等の各機器を接続することができ、さらに、メモリカード１５を収納できるようになっている。つまり、このデジタルテレビジョン放送受信装置１１では、リモートコントローラ１２の操作に応じて、地上デジタル放送や衛星デジタル放送の所望のチャンネルの番組データを受信して表示するほか、ビデオカメラ１３から入力した動画像データを表示したり、ＨＤＤ１４に記録された録画データを表示したり、メモリカード１５に記録された静止画像データを表示することもできる。
【００１５】
また、このデジタルテレビジョン放送受信装置１１は、電話機１６と共にブロードバンドルータ１７に接続されており、インターネット１８経由で他のデジタルテレビジョン放送受信装置（デジタルＴＶ）１１’と通信することができる。ここでは、デジタルテレビジョン放送受信装置１１とデジタルテレビジョン放送受信装置１１’とは、同機種であるものとする。このデジタルテレビジョン放送受信装置１１とデジタルテレビジョン放送受信装置１１’とがインターネット１８経由の通信を開始するための発呼および着呼の制御は、ＳＩＰ（Session Initiation Protocol）サーバ１９が一元的に行っている。
【００１６】
図２には、本実施形態のデジタルテレビジョン放送受信装置１１の概略構成が示されている。
【００１７】
ＢＳ／ＣＳデジタル放送受信用のアンテナ１０１で受信した衛星デジタルテレビジョン放送信号は、入力端子１０２を介して衛星デジタル放送用のチューナ１０３に供給されることにより、所望のチャンネルの放送信号が選局される。そして、このチューナ１０３で選局された放送信号は、ＰＳＫ（Phase Shift Keying）復調器１０４に供給されてデジタルの映像信号および音声信号に復調された後、信号処理部１０５に出力される。
【００１８】
一方、地上波放送受信用のアンテナ１０６で受信した地上デジタルテレビジョン放送信号は、入力端子１０７を介して地上デジタル放送用のチューナ１０８に供給されることにより、所望のチャンネルの放送信号が選局される。そして、このチューナ１０８で選局された放送信号は、ＯＦＤＭ（Orthogonal Frequency Division Multiplexing）復調器１０９に供給されて、デジタルの映像信号および音声信号に復調された後、信号処理部１０５に出力される。また、地上波放送受信用のアンテナ１０６で受信した地上アナログテレビジョン放送信号は、入力端子１０７を介して地上アナログ放送用のチューナ１１０に供給されることにより、所望のチャンネルの放送信号が選局される。そして、このチューナ１１０で選局された放送信号は、アナログ復調器１１１に供給されてアナログの映像信号および音声信号に復調された後、信号処理部１０５に出力される。
【００１９】
信号処理部１０５は、ＰＳＫ復調器１０４およびＯＦＤＭ復調器１０９からそれぞれ供給されたデジタルの映像信号及び音声信号に対して、選択的に所定のデジタル信号処理を施し、グラフィック処理部１１２および音声処理部１１３に出力している。また、この信号処理部１０５には、複数の入力端子１１４ａ〜ｄが接続されている。これら入力端子１１４ａ〜ｄは、アナログの映像信号および音声信号をデジタルテレビジョン放送受信装置１１の外部から入力可能とするものであり、図１に示したビデオカメラ１３は、この入力端子１１４ａ〜ｄのいずれかに接続されることになる。そして、信号処理部１０５は、アナログ復調器１１１や入力端子１１４ａ〜ｄから供給されるアナログの映像信号および音声信号を選択的にデジタル化し、そのデジタル化された映像信号および音声信号に対して所定のデジタル信号処理を施した後、グラフィック処理部１１２および音声処理部１１３に出力する。
【００２０】
このうち、グラフィック処理部１１２は、信号処理部１０５から供給されるデジタルの映像信号に、ＯＳＤ（On Screen Display）信号生成部１１５で生成されるＯＳＤ信号を重畳して出力する機能を有する。グラフィック処理部１１２は、信号処理部１０５の出力映像信号とＯＳＤ信号生成部１１５の出力ＯＳＤ信号とを選択的に出力したり、両出力を重畳させて出力したり、両出力をそれぞれ画面の半分を構成するように組み合わせて出力することができる。
【００２１】
グラフィック処理部１１２から出力されたデジタルの映像信号は、映像処理部１１６に供給される。この映像処理部１１６は、入力されたデジタルの映像信号を、映像表示器１４で表示可能なフォーマットのアナログ映像信号に変換した後、映像表示器１１７に出力して映像表示させるとともに、出力端子１１８を介して外部に導出させる。
【００２２】
また、音声処理部１１３は、入力されたデジタルの音声信号を、スピーカ１１９で再生可能なフォーマットのアナログ音声信号に変換した後、スピーカ１１９に出力して音声再生させるとともに、出力端子１２０を介して外部に導出させる。
【００２３】
このデジタルテレビジョン放送受信装置１１は、その全ての動作が制御部１２１によって統括的に制御されている。制御部１２１は、ＣＰＵ（Central Processing Unit）等を内蔵しており、操作部１２２からの操作情報を受け、またはリモートコントローラ１２から送出された操作情報を受光部１２３を介して受信し、その操作内容が反映されるように各部をそれぞれ制御している。制御部１２１は、主として、ＣＰＵが実行する制御プログラムを格納したＲＯＭ（Read Only Memory）１２４と、ＣＰＵに作業エリアを提供するＲＡＭ（Random Access Memory）１２５と、各種の設定情報および制御情報等が格納される不揮発性メモリ１２６とを利用している。
【００２４】
また、制御部１２１は、カードＩ／Ｆ（Interface）１２７を介して、図１に示したメモリカード１５を収納可能なカードホルダ１２８に接続されている。これによって、制御部１２０は、カードホルダ１２８に装着されたメモリカード１５と、カードＩ／Ｆ１２７を介して情報伝送を行なうことができる。さらに、制御部１２１は、ＵＳＢ  Ｉ／Ｆ１２９を介してＵＳＢ端子１３０に接続されている。これによって、制御部１２１は、ＵＳＢ端子１３０に接続された各機器と、ＵＳＢ  Ｉ／Ｆ１２９を介して情報伝送を行なうことができる。図１に示したＨＤＤ１４は、このＵＳＢ端子１３０に接続される。
【００２５】
また、制御部１２１は、通信Ｉ／Ｆ１３１を介してＬＡＮ端子１３２に接続される。このＬＡＮ端子１３２は、図１に示したブロードバンドルータ１７を介してインターネット１８に接続される。これにより、制御部１２１は、ＳＩＰサーバ１９の制御下で、デジタルテレビジョン放送受信装置１１’との情報伝送を行うことができる。
【００２６】
図３は、リモートコントローラ１２の外観を示している。このリモートコントローラ１２には、主として、電源キー１２ａ、入力切換キー１２ｂ、衛星デジタル放送チャンネル用のダイレクト選局キー１２ｃ、地上波放送チャンネル用のダイレクト選局キー１２ｄ、カーソルキー１２ｅ、決定キー１２ｆ、戻るキー１２ｇ、音量調整キー１２ｈ、パーソナル映像送信キー１２ｉ等が設けられている。
【００２７】
ここで、図４を併せて参照して、この第１実施形態のデジタルテレビジョン放送受信装置１１が新たに提供可能とする利用形態の一例を説明する。
【００２８】
いま、デジタルテレビジョン放送受信装置１１のユーザＡは、ビデオカメラ１３で撮影した動画像を、遠隔地に在住するデジタルテレビジョン放送受信装置１１’のユーザＢに見せたいと考えている。この場合、ユーザＡは、例えばその旨を電話でユーザＢに伝えると共に、デジタルテレビジョン放送受信装置１１について以下の操作を行う。なお、デジタルテレビジョン放送受信装置１１は、電源投入済みであるものとする。
【００２９】
ユーザＡは、まず、目的の動作像データが記録されたビデオカメラ１３を入力端子１１４ａ〜ｄのいずれかを使って接続する。そして、リモートコントローラ１２の入力切換キー１２ｂを操作して、このビデオカメラ１３からの動画像データが映像表示器１１７に表示されるように切換えを行う。入力切換キー１２ｂの操作が通知されると、制御部１２１は、信号処理部１０５に対して、どの入力を採用すべきかを指示する。
【００３０】
次に、ユーザＡは、映像表示器１１７への表示対象となっているビデオカメラ１３からの動画像データをユーザＢのデジタルテレビジョン放送受信装置１１’に送信すべくリモートコントローラ１２のパーソナル映像送信キー１２ｉを操作する。パーソナル映像送信キー１２ｉの操作が通知されると、制御部１２１は、表示中の動画像データの送信先アドレスを入力するための画面を映像表示器１１７に表示させるべくグラフィック処理部１１２を動作させるようＯＳＤ信号生成部１１５に指示し、この画面上で入力された送信先との接続の確立を通信Ｉ／Ｆ１３１を介してＳＩＰサーバ１９に要求する。そして、この接続が確立されると、制御部１２１は、表示中、つまり信号処理部１０５から出力される動画像データを通信Ｉ／Ｆ１３０を介して送信先へと送信する。
【００３１】
一方、ユーザＡから例えば電話による連絡を受けたユーザＢは、リモートコントローラ１２の地上波放送チャンネル用のダイレクト選局キー１２ｄのうち、インターネット１８経由で送信されてくる動画像データを映像表示器１１７に表示させるために予め割り当てられた専用のチャンネル、より具体的には、その地域で空きチャンネルとなっている番号のキーを押下する。このダイレクト選局キー１２ｄ中の専用チャンネルの押下が通知されると、制御部１２１は、通信Ｉ／Ｆ１３０に自装置宛ての動画像データを受信させて信号処理部１０５に転送すると共に、この動画像データを表示対象として選択するよう信号処理部１０５に指示する。これにより、ユーザＢは、複数のチャンネルの中から所望のチャンネルを選択するといった手慣れた操作を行うだけで、遠隔地から送信されてくる画像を見ることができる。
【００３２】
次に、図５および図６を参照して、本実施形態のデジタルテレビジョン放送受信装置１１の動作手順について説明する。図５は、外部入力される動画像データをネットワーク経由で送信する際の動作手順を示すフローチャート、図６は、ネットワーク経由で送信されてくる動画像データを表示する際の動作手順を示すフローチャートである。
【００３３】
外部入力される動画像データをネットワーク経由で送信する場合、まず、制御部１２１は、リモートコントローラ１２の入力切換キー１２ｂの操作に応じて、信号処理部１０５が表示対象とする入力を所望の外部入力に切り換える（ステップＡ１）。そして、リモートコントローラ１２のパーソナル映像送信キー１２ｉが押下されると（ステップＡ２）、制御部１２１は、送信先の設定と接続の確立を行い（ステップＡ３，ステップＡ４）、確立されたら（ステップＡ５のＹＥＳ）、表示中の動画像データを通信Ｉ／Ｆ１３０を介して送信先へと送信する（ステップＡ６）。
【００３４】
また、ネットワーク経由で送信されてくる動画像データを表示する場合、まず、制御部１２１は、リモートコントローラ１２の地上波放送チャンネル用のダイレクト選局キー１２ｄによる専用チャンネルの選択に応じて（ステップＢ１）、動画像データの送信元との接続の確立を行う（ステップＢ２）。そして、この接続が確立されると（ステップＢ３のＹＥＳ）、制御部１２１は、通信Ｉ／Ｆ１３０を介して動画像データを受信し（ステップＢ４）、この動画像データを映像表示器１１７に表示させる（ステップＢ５）。
【００３５】
このように、本実施形態のデジタルテレビジョン放送受信装置１１は、手軽に扱え、かつ、能動的に画像データを送受信可能な双方向通信を実現する。
【００３６】
（第２実施形態）
次に、本発明の第２実施形態について説明する。この第２実施形態のデジタルテレビジョン放送受信装置１１は、画像データをネットワーク経由で能動的に送受信する機能を有する第１実施形態のデジタルテレビジョン放送受信装置１１を応用したものであり、その動作環境や概略構成、リモートコントローラの外観等は、前述の第１実施形態と同様であるため、ここでは、その説明は省略する。図７は、この第２実施形態のデジタルテレビジョン放送受信装置１１が新たに提供可能とする利用形態の一例を示す図である。
【００３７】
いま、デジタルテレビジョン放送受信装置１１のユーザＡは、メモリカード１５に記録された静止動画像を、遠隔地に在住のデジタルテレビジョン放送受信装置１１’のユーザＢに見せたいと考えている。このメモリカード１５に記録された静止画像としては、例えばデジタルスチルカメラで撮影されたものなどが挙げられる。この場合、ユーザＡは、例えばその旨を電話でユーザＢに伝えると共に、デジタルテレビジョン放送受信装置１１について以下の操作を行う。なお、デジタルテレビジョン放送受信装置１１は、電源投入済みであるものとする。
【００３８】
ユーザＡは、まず、目的の静止画像データが記録されたメモリカード１５をカードホルダ１２７に収納する。そして、リモートコントローラ１２の入力切換キー１２ｂを操作して、このメモリカード１５に記録された静止画像データが映像表示器１１７に表示されるように切換えを行う。入力切換キー１２ｂの操作でメモリカード１５が選択されると、制御部１２１は、このメモリカード１５に対するアクセスを制御し、読み出された静止画像データの信号処理部１０５への転送を行う。
【００３９】
次に、ユーザＡは、映像表示器１１７への表示対象となっているメモリカード１５の静止画像データをユーザＢのデジタルテレビジョン放送受信装置１１’に送信すべくリモートコントローラ１２のパーソナル映像送信キー１２ｉを操作する。パーソナル映像送信キー１２ｉの操作が通知されると、制御部１２１は、表示中の動画像データの送信先アドレスを入力するための画面を映像表示器１１７に表示させるべくグラフィック処理部１１２を動作させるようＯＳＤ信号生成部１１５に指示し、この画面上で入力された送信先との接続の確立を通信Ｉ／Ｆ１３１を介してＳＩＰサーバ１９に要求する。そして、この接続が確立されると、制御部１２１は、メモリーカード１５に記録された静止画像データ群を通信Ｉ／Ｆ１３０を介して送信先へと送信する（図７の（１））。
【００４０】
このメモリーカード１５に記録された静止画像群の表示に関する操作は、例えばリモートコントローラ１２のカーソルキー１２ｅや決定キー１２ｆ、戻るキー１２ｇなどによって行われ、これらの操作により、所望の静止画像データを表示対象として選択することなどができる。そして、これらの操作が通知されると、制御部１２１は、この操作内容を示す操作情報を通信Ｉ／Ｆ１３０を介して送信先へと送信する（図７の（２））。
【００４１】
一方、ユーザＡから例えば電話による連絡を受けたユーザＢは、リモートコントローラ１２の地上波放送チャンネル用のダイレクト選局キー１２ｄのうち、インターネット１８経由で送信されてくる静止画像データを映像表示器１１７に表示させるために予め割り当てられた専用のチャンネル、例えば１１チャンネルを押下する。このダイレクト選局キー１２ｄ中の専用チャンネルの押下が通知されると、制御部１２１は、通信Ｉ／Ｆ１３０に自装置宛ての静止画像データ群を受信させる。
【００４２】
また、これと共に、制御部１２１は、適宜に送信されてくる操作情報を通信Ｉ／Ｆ１３０に受信させ、これにより受信された操作情報に基づき、例えば先に受信された静止画像データ群の中から選択指示された静止画像データを信号処理部１０５に転送して映像表示器１１７に表示させる等、デジタルテレビジョン放送受信装置１１’の制御を行う。これにより、ユーザＡの操作が遠隔地のユーザＢ側に反映されるので、ユーザＡは、電話等での会話と同期させながら所望の画像をユーザＢに見せる事などが可能となる。
【００４３】
次に、図８および図９を参照して、本実施形態のデジタルテレビジョン放送受信装置１１の動作手順について説明する。図８は、メモリカード１５の静止画像データをネットワーク経由で送信する際の動作手順を示すフローチャート、図９は、ネットワーク経由で送信されてくる静止画像データを表示する際の動作手順を示すフローチャートである。
【００４４】
メモリカード１５の静止画像データをネットワーク経由で送信する場合、まず、制御部１２１は、リモートコントローラ１２の入力切換キー１２ｂの操作に応じて、信号処理部１０５の表示対象をメモリカード１５に切り換える（ステップＣ１）。そして、リモートコントローラ１２のパーソナル映像送信キー１２ｉが押下されると（ステップＣ２）、制御部１２１は、送信先の設定と接続の確立を行い（ステップＣ３，ステップＣ４）、確立されたら（ステップＣ５のＹＥＳ）、メモリカード１５内の静止画像データ群を通信Ｉ／Ｆ１３０を介して送信先へと送信する（ステップＣ６）。
【００４５】
次に、制御部１２１は、この表示に関する操作指示がリモートコントローラ１２によって行われると（ステップＣ７）、その指示に基づき、映像表示部１１７の表示を制御すべく信号処理部１０５、ＯＳＤ信号制御部１１５および映像処理部１１６に指示を与えると共に（ステップＣ８）、この操作指示を示す操作情報を通信Ｉ／Ｆ１３０を介して送信先へと送信する（ステップＣ９）。
【００４６】
また、ネットワーク経由で送信されてくる静止画像データを表示する場合、まず、制御部１２１は、リモートコントローラ１２の地上波放送チャンネル用のダイレクト選局キー１２ｄによる専用チャンネルの選択に応じて（ステップＤ１）、動画像データの送信元との接続の確立を行う（ステップＤ２）。そして、この接続が確立されると（ステップＤ３のＹＥＳ）、制御部１２１は、通信Ｉ／Ｆ１３０を介して静止画像データ群を受信すると共に（ステップＤ４）、操作情報を適宜に受信し（ステップＤ５）、この操作情報に基づき、受信した静止画像データ群を映像表示部１１７に表示すべく信号処理部１０５、ＯＳＤ信号制御部１１５および映像処理部１１６に指示を与える（ステップＤ６）。
【００４７】
このように、本実施形態のデジタルテレビジョン放送受信装置１１は、手軽に扱え、かつ、能動的に画像データを送受信可能な双方向通信を実現する。
【００４８】
（第３実施形態）
次に、この発明の第３実施形態について説明する。この第３実施形態のデジタルテレビジョン放送受信装置１１も、画像データをネットワーク経由で能動的に送受信する機能を有する第１実施形態のデジタルテレビジョン放送受信装置１１を応用したものであり、その動作環境や概略構成、リモートコントローラの外観等は、前述の第１実施形態と同様であるため、ここでは、その説明は省略する。図１０は、この第３実施形態のデジタルテレビジョン放送受信装置１１が新たに提供可能とする利用形態の一例を示す図である。
【００４９】
本実施形態では、ビデオカメラ１３で撮影された動画像を、インターネット１８を介して接続される遠隔地の２つのデジタルテレビジョン放送受信装置１１間で相互に送受信し合う、例えばテレビ糸電話とでもいうべき機能を提供する。第１および第２実施形態でも説明した専用のチャンネルが、この相互に送受信する動画像を表示するためのチャンネルとして割り当てられ、この専用チャンネルを選択した際、動画像の送受信が行われていない場合、図１０（Ａ）に示すように、あたかもカーテンが閉じられたような画像が表示される。この動画像の送受信は、リモートコントローラ１２のパーソナル映像送信キー１２ｉの押下により開始され、受信した動画像は、図１０（Ｂ）に示すように、あたかもカーテンが開かれた窓から屋内を覗いたかのようにその周辺部に窓枠の画像が重畳されて表示される。また、その一部には、自装置側のビデオカメラ１３で撮影されて送信される動画像も表示される。そして、リモートコントローラ１２のパーソナル映像送信キー１２ｉが再度押下されると、この動画像の送受信は終了し、図１０（Ａ）の画像に戻る。
【００５０】
つまり、複数のチャンネルの中から所望のチャンネルを選択するといった手慣れた操作を行うだけで、遠隔地との間で動画像を送受信でき、かつ、カーテンの開け閉めという感覚的に分かり易い表示で、動画像の送信有無を報知することができる。
【００５１】
次に、図１１を参照して、本実施形態のデジタルテレビジョン放送受信装置１１の動作手順について説明する。
【００５２】
リモートコントローラ１２の地上波放送チャンネル用のダイレクト選局キー１２ｄにより専用チャンネルが選択されると（ステップＥ１）、制御部１２１は、表示対象を通信Ｉ／Ｆ１３０を介して受信される動画像データに切り換え、リモートコントローラ１２のパーソナル映像送信キー１２ｉが押下されているかどうかを調べる（ステップＥ２）。パーソナル映像送信キー１２ｉが押下されていれば（ステップＥ２のＹＥＳ）、制御部１２１は、動画像データの送受信相手との接続の確立を行い（ステップＥ３）、この接続が確立されると（ステップＥ４のＹＥＳ）、通信Ｉ／Ｆ１３０を介してビデオカメラ１３からの動画像データを送信すると共に（ステップＥ５）、相手側からの動画像データを通信Ｉ／Ｆ１３０を介して受信する（ステップＥ６）。そして、制御部１２１は、この受信した動画像データに窓枠の画像を重畳させて（ステップＥ７）、この窓枠が重畳された動画像データを映像表示器１１７に表示する（ステップＥ８）。
【００５３】
一方、専用チャンネルが選択されているものの、パーソナル映像送信キー１２ｉが押下されていなければ（ステップＥ２のＮＯ）、制御部１２１は、カーテンが閉ざされた画像を映像表示器１１７に表示する（ステップＥ９）。
【００５４】
このように、本実施形態のデジタルテレビジョン放送受信装置１１は、手軽に扱え、かつ、能動的に画像データを送受信可能な双方向通信を実現する。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５６】
【図１】本発明の第１実施形態に係るテレビジョン装置の動作環境を示す図
【図２】同第１実施形態のデジタルテレビジョン放送受信装置の概略構成を示す図
【図３】同第１実施形態のデジタルテレビジョン放送受信装置が備えるリモートコントローラの外観を示す図
【図４】同第１実施形態のデジタルテレビジョン放送受信装置が新たに提供可能とする利用形態の一例を説明する図
【図５】同第１実施形態のデジタルテレビジョン放送受信装置が外部入力される動画像データをネットワーク経由で送信する際の動作手順を示すフローチャート
【図６】同第１実施形態のデジタルテレビジョン放送受信装置がネットワーク経由で送信されてくる動画像データを表示する際の動作手順を示すフローチャート
【図７】同第２実施形態のデジタルテレビジョン放送受信装置が新たに提供可能とする利用形態の一例を説明する図
【図８】同第２実施形態のデジタルテレビジョン放送受信装置がメモリカードの静止画像データをネットワーク経由で送信する際の動作手順を示すフローチャート
【図９】同第２実施形態のデジタルテレビジョン放送受信装置がネットワーク経由で送信されてくる静止画像データを表示する際の動作手順を示すフローチャート
【図１０】同第３実施形態のデジタルテレビジョン放送受信装置が新たに提供可能とする利用形態の一例を説明する図
【図１１】同第３実施形態のデジタルテレビジョン放送受信装置の動作手順を示すフローチャート
【符号の説明】
【００５７】
１１，１１’…デジタルテレビジョン放送受信装置、１２…リモートコントローラ、１３…ビデオカメラ、１４…ＨＤＤ、１５…メモリカード、１６…電話機、１７…ブロードバンドルータ、１８…インターネット、１９…ＳＩＰサーバ、１０１…アンテナ、１０２…入力端子、１０３…チューナ、１０４…ＰＳＫ復調器、１０５…信号処理部、１０６…アンテナ、１０７…入力端子、１０８…チューナ、１０９…ＯＦＤＭ復調器、１１０…チューナ、１１１…アナログ復調器、１１２…グラフィック処理部、１１３…音声処理部、１１４ａ〜ｄ…入力端子、１１５…ＯＳＤ信号生成部、１１６…映像処理部、１１７…映像表示器、１１８…出力端子、１１９…スピーカ、１２０…出力端子、１２１…制御部、１２２…操作部、１２３…受光部、１２４…ＲＯＭ、１２５…ＲＡＭ、１２６…不揮発性メモリ、１２７…カードＩ／Ｆ、１２８…カードホルダ、１２９ＵＳＢ  Ｉ／Ｆ、１３０…ＵＳＢ端子、１３１…通信Ｉ／Ｆ、１３２…ＬＡＮ端子。
【図１】
2006101338.tif 000003
【図２】
2006101338.tif 000004
【図３】
2006101338.tif 000005
【図４】
2006101338.tif 000006
【図５】
2006101338.tif 000007
【図６】
2006101338.tif 000008
【図７】
2006101338.tif 000009
【図８】
2006101338.tif 000010
【図９】
2006101338.tif 000011
【図１０】
2006101338.tif 000012
【図１１】
2006101338.tif 000013